(57)【要約】【課題】高均一度の拡散プレートを提供する。【解決手段】主として、拡散プレートの光の出射面に三角錐状のプリズム構造を増設し、チューブの光線がプリズムに通過することにより発生した屈折や反射により、光線の進行経路を変化して、光線を散乱する効果を達成する。【選択図】図１
2008058464.tif 000002
【特許請求の範囲】
【請求項１】
出射パネルに、三角錐状のプリズム構造が設けられ、当該プリズムが、上、中、下層からなり、共押出ダイヘッドにより三層の構造に結合され、また、成形ローラで三角錐状に成形し、光線が、プリズムによる屈折により、進む経路が変更されて、散乱する、
ことを特徴とする高均一度の拡散プレート。
【請求項２】
プリズム構造が、台形であることを特徴とする請求項１に記載の高均一度の拡散プレート。
【請求項３】
プリズム構造の三角錐状の先端が、円弧形であることを特徴とする請求項１に記載の高均一度の拡散プレート。
【請求項４】
プリズム構造が、円弧形であることを特徴とする請求項１に記載の高均一度の拡散プレート。
【請求項５】
プリズムの上層に、光拡散剤と紫外線吸収剤が添加されることを特徴とする請求項１に記載の高均一度の拡散プレート。
【請求項６】
プリズムの下層に、光拡散剤と紫外線吸収剤が添加されることを特徴とする請求項１に記載の高均一度の拡散プレート。
【請求項７】
プリズムの上、下層に、光拡散剤と紫外線吸収剤が添加されることを特徴とする請求項１に記載の高均一度の拡散プレート。
【請求項８】
プリズムの中層に、光拡散剤と紫外線吸収剤が添加されることを特徴とする請求項１に記載の高均一度の拡散プレート。
【請求項９】
プリズムの中、下層に、光拡散剤と紫外線吸収剤が添加されることを特徴とする請求項１に記載の高均一度の拡散プレート。
【請求項１０】
プリズムの上、中層に、光拡散剤と紫外線吸収剤が添加されることを特徴とする請求項１に記載の高均一度の拡散プレート。
【請求項１１】
プリズムの上、中、下層に、光拡散剤と紫外線吸収剤が添加されることを特徴とする請求項１に記載の高均一度の拡散プレート。
【請求項１２】
プリズムの材質が、ＰＭＭＡであることを特徴とする請求項１に記載の高均一度の拡散プレート。
【請求項１３】
プリズムの材質が、ＭＳであることを特徴とする請求項１に記載の高均一度の拡散プレート。
【請求項１４】
プリズムの材質が、ＰＳであることを特徴とする請求項１に記載の高均一度の拡散プレート。
【請求項１５】
プリズムの材質が、ＰＣであることを特徴とする請求項１に記載の高均一度の拡散プレート。
【発明の詳細な説明】
【技術分野】
【０００１】
本発明は、拡散プレートに関し、特に、優れた光学拡散性を有する高均一性の拡散プレートに関する。
【背景技術】
【０００２】
ディジタルＴＶの普及に伴って、ディスプレーにおいて、液晶ディスプレーが重要視されて、高度の成長を果たした。液晶ディスプレーにおいて、その結像が、電界の開閉に従って、画面を表示し、液晶パネルは、自身が、光線を発射せず、バックライトモジュールにより、ディスプレーの光源を供給する。一般として、大きいサイズの液晶ディスプレーに、直下式光源が適用され、直下式バックライトであれば、チューブの増設と拡散素子の設計により、高輝度と均一光源の要求を満足できる。また、均一光源の要求を満たすために、直下式バックライトモジュールに利用される拡散プレートが、光線を均一的に散乱するための重要素子である。拡散プレートとは、主として、光線を拡散する機能を有し、添加された光拡散剤の種類と屈折率が異なることにより、光線が、拡散プレート同士の間で、屈折を繰り返することにより、均一的に分布し、上記の方法では、良い効果が得られる。しかしながら、拡散効率が要求を満足できるが、ディスプレーが、環境保護や低コストへ発展する傾向があるため、実用とは、言えなくなる。近年、冷陰極管と電源変換器のコストが高くなり、また、容易に取得できないため、チューブの使用数量を低減することと拡散素子の変更により、需要を満足し、そして、コストダウンの要求を達成する。しかしながら、チューブの使用数量を減らすと、チューブ同士の間に存在する隙間が大きくなり、これにより、明暗のむらが更に明白になり、そのため、拡散度に対する要求が、更に高まって、拡散プレートに大量の光拡散剤が使用され、しかしながら、冷陰極管によるむらが、拡散プレートによる均一化できず、そのバルク拡散だけでは、需要を満足できず、そのため、拡散プレートやバックライトモジュールの構造を変更しなければ、高輝度と高拡散度の需要を満足できない。
【０００３】
また、光拡散効果が、主として、拡散プレートに添加された光拡散剤や拡散プレートの表面形態によって達成される。そのため、拡散プレートの出射面に三角錐状のプリズムを増設することは、光拡散効果が向上される手段の一つであり、しかし、拡散プレートに均一的の三角錐状プリズムを増設することにより、光線を改めで配置する分光の効果が得られるが、チューブに対して、遮蔽効果が余り得られない。
【発明の開示】
【発明が解決しようとする課題】
【０００４】
本発明の主な目的は、光源が改めて配置される効果が得られ、更に、光線を分散して均一化することにより、チューブによるむらを遮蔽や散乱できる高均一度の拡散プレートを提供する。
【課題を解決するための手段】
【０００５】
請求項１の考案は、出射パネルに、三角錐状のプリズム構造が設けられ、当該プリズムが、上、中、下層からなり、共押出ダイヘッドにより三層の構造に結合され、また、成形ローラで三角錐状に成形し、光線が、プリズムによる屈折により、進む経路が変更されて、散乱することを特徴とする高均一度の拡散プレートである。
【０００６】
請求項２の考案は、プリズム構造が、台形であることを特徴とする請求項１に記載の高均一度の拡散プレートである。
【０００７】
請求項３の考案は、プリズム構造の三角錐状の先端が、円弧形であることを特徴とする請求項１に記載の高均一度の拡散プレートである。
【０００８】
請求項４の考案は、プリズム構造が、円弧形であることを特徴とする請求項１に記載の高均一度の拡散プレートである。
【０００９】
請求項５の考案は、プリズムの上層に、光拡散剤と紫外線吸収剤が添加されることを特徴とする請求項１に記載の高均一度の拡散プレートである。
【００１０】
請求項６の考案は、プリズムの下層に、光拡散剤と紫外線吸収剤が添加されることを特徴とする請求項１に記載の高均一度の拡散プレートである。
【００１１】
請求項７の考案は、プリズムの上、下層に、光拡散剤と紫外線吸収剤が添加されることを特徴とする請求項１に記載の高均一度の拡散プレートである。
【００１２】
請求項８の考案は、プリズムの中層に、光拡散剤と紫外線吸収剤が添加されることを特徴とする請求項１に記載の高均一度の拡散プレートである。
【００１３】
請求項９の考案は、プリズムの中、下層に、光拡散剤と紫外線吸収剤が添加されることを特徴とする請求項１に記載の高均一度の拡散プレートである。
【００１４】
請求項１０の考案は、プリズムの上、中層に、光拡散剤と紫外線吸収剤が添加されることを特徴とする請求項１に記載の高均一度の拡散プレートである。
【００１５】
請求項１１の考案は、プリズムの上、中、下層に、光拡散剤と紫外線吸収剤が添加されることを特徴とする請求項１に記載の高均一度の拡散プレートである。
【００１６】
請求項１２の考案は、プリズムの材質が、ＰＭＭＡであることを特徴とする請求項１に記載の高均一度の拡散プレートである。
【００１７】
請求項１３の考案は、プリズムの材質が、ＭＳであることを特徴とする請求項１に記載の高均一度の拡散プレートである。
【００１８】
請求項１４の考案は、プリズムの材質が、ＰＳであることを特徴とする請求項１に記載の高均一度の拡散プレートである。
【００１９】
請求項１５の考案は、プリズムの材質が、ＰＣであることを特徴とする請求項１に記載の高均一度の拡散プレートである。
【発明を実施するための最良の形態】
【００２０】
本発明は、光の出射面に三角状のプリズム構造を増設する設計であり、各組の構造は、チューブの位置や設計に応じて、光線が、プリズムを通過する時の屈折や反射により、光線の進行経路を変更して、光線を散乱する効果が得られ、また、光拡散剤の添加と分布により、均一的に入射した光線を拡散して、バックライトモジュールに対する需要を満足する。
【００２１】
図１と１〜１は、本発明に係わる拡散プレートの出射パネルに増設された三角錐状のプリズム構造であり、当該プリズム１０は、上、中、下層１１、１２、１３からなり、共押出ダイヘッドにより三層の構造に結合され、また、成形ローラで三角錐状に成形し、また、その上層１１の三角錐状が、副押出機により押出された部分、中層１２が、主押出機により押出された部分、下層１３が副押出機により押出の部分である。
【００２２】
図２と２〜１は、本発明に係わる拡散プレートの出射パネルに増設された台形のプリズム構造であり、当該プリズム２０は、上、中、下層２１、２２、２３からなり、共押出ダイヘッドにより三層の構造に結合され、また、成形ローラで台形に成形し、また、その上層２１の台形が、副押出機により押出された部分、中層２２が、主押出機により押出された部分、下層２３が、副押出機により押出された部分である。
【００２３】
図３と３〜１は、本発明に係わる拡散プレートの出射パネルに増設された三角錐状の先端が円弧形であるプリズム構造であり、当該プリズム３０は、上、中、下層３１、３２、３３からなり、共押出ダイヘッドにより三層の構造に結合され、また、成形ローラで三角錐状の先端を円弧形に成形し、また、その上層３１の先端が円弧形である三角錐状が、副押出機により押出された部分、中層３２が、主押出機により押出された部分、下層３３が、副押出機により押出された部分である。
【００２４】
図４と４〜１は、本発明に係わる拡散プレートの出射パネルに増設された円弧状のプリズム構造であり、当該プリズム４０は、上、中、下層４１、４２、４３からなり、共押出ダイヘッドにより三層の構造に結合され、また、成形ローラで円弧状に成形し、また、その上層４１の円弧状が、副押出機により押出された部分、中層４２が、主押出機により押出された部分、下層４３が、副押出機により押出された部分である。
【００２５】
また、上記のプリズム１０、２０、３０、４０の構造は、ＰＭＭＡやＭＳ、ＰＳ或いはＰＣ等の材質からなり、また、当該光拡散剤は、上層１１、２１、３１、４１だけに、或いは、下層１３、２３、３３、４３だけに、或いは、中層１２、２２、３２、４２だけに添加されても良く、または、同時に上、中層１１、１２、２１、２２、３１、３２、４１、４２に、或いは、同時に中、下層１２、１３、２２、２３、３２、３３、４２、４３に、或いは、同時に上、下層１１、１３、２１、２３、３１、３３、４１、４３に添加されても良く、または、同時に上、中、下層１１、１２、１３、２１、２２、２３、３１、３２、３３、４１、４２、４３に添加されても良い。
【００２６】
また、上記のプリズム１０、２０、３０、４０の構造は、更に紫外光吸収剤が添加されてもよく、当該紫外光吸収剤は、上層１１、２１、３１、４１だけに、或いは、下層１３、２３、３３、４３だけに、或いは、中層１２、２２、３２、４２だけに添加されても良く、または、同時に上、中層１１、１２、２１、２２、３１、３２、４１、４２に、或いは、同時に中、下層１２、１３、２２、２３、３２、３３、４２、４３に、或いは、同時に上、下層１１、１３、２１、２３、３１、３３、４１、４３に添加されても良く、または、同時に上、中、下層１１、１２、１３、２１、２２、２３、３１、３２、３３、４１、４２、４３に添加されても良い。
【００２７】
本発明によれば、次の利点が得られる。
【００２８】
本発明は、環境保護が重要視され、また、冷陰極管と電源変換器のコストが高くて容易に取得できないため、三角錐状であるプリズムにより、改めに光を配向し、そのため、冷陰極管の使用量を低減でき、また、適当に光拡散剤を添加することにより、光線が分散されて均一化の効果が得られ、そして、チューブ同士の距離が増大することによる明暗の不均現象を遮蔽できる。また、押出板材から言えば、生産が複雑にならず、容易に生産できる利点が得られる。そのため、本発明に係わる拡散プレートは、拡散プレートの機能が向上され、コストを低減できる利点が得られる。
【実施例】
【００２９】
本発明の出願者である穎台科技により生産されたＥＭＬ−拡散プレートを使用して、出射面に三角錐状のプリズムを成形し、そして、ＥＭＳ−拡散プレートと比較する。三角錐状のプリズムの間隔サイクルが０．４ｍｍ、プリズムの角度が１１０゜、上下表層の厚さが０．１ｍｍ、チューブ同士の距離が３０ｍｍである。成形した後、適当な形状に切って直下式冷陰極管のバックライトに実装し、そして、測定してその結果を比較する。
【００３０】
本発明は、三角錐状のプリズムの角度と分布を変化することにより、光の進行方向を調整でき、また、調整板材の表層に添加される光拡散剤の添加量を調整できるため、従来の製品より、より優れた柔軟性を持つ。また、光拡散剤の拡散効果に、方向性がないため、規則ではない散乱の効果になり、そのため、三角錐状のプリズムを利用する光線は、バックライトモジュールのチューブの距離と拡散プレートからの高度及びチューブと反射シートの隙間に応じて、異なる構造や形状及び角度に設計できる。また、ディスプレーの設計において、より広い設計空間が提供され、異なる需要に応じて設計することができ、そして、光線の利用率が向上される。
【００３１】
以上のように、本発明に係わる高均一度の拡散プレートは、板材の表面に、異なる形状を成形する立体構造で、板材の表面に形成された異なる立体構造と、添加された異なる拡散剤とにより、光の進行経路が変更され、そのため、バックライトモジュールが、冷陰極管（ＣＣＦＬ）からの光線を均一的に分散でき、また、冷陰極管の使用量を低減でき、そして、出射面から出射した光線に、光学的な均一性の効果が得られる。
【図面の簡単な説明】
【００３２】
【図１】本発明に係わるプリズムの概念図１
【図１−１】本発明に係わるプリズムの一部の拡大図
【図２】本発明に係わるプリズムの概念図２
【図２−１】本発明に係わるプリズムの一部の拡大図
【図３】本発明に係わるプリズムの概念図３
【図３−１】本発明に係わるプリズムの一部の拡大図
【図４】本発明に係わるプリズムの概念図４
【図４−１】本発明に係わるプリズムの一部の拡大図
【符号の説明】
【００３３】
１０、２０、３０、４０          プリズム
１１、２１、３１、４１          上層
１２、２２、３２、４２          中層
１３、２３、３３、４３          下層
【図１】
2008058464.tif 000003
【図１−１】
2008058464.tif 000004
【図２】
2008058464.tif 000005
【図２−１】
2008058464.tif 000006
【図３】
2008058464.tif 000007
【図３−１】
2008058464.tif 000008
【図４】
2008058464.tif 000009
【図４−１】
2008058464.tif 000010